(57)【要約】【解決手段】本発明は、印刷層(20)と、接着剤層(30)と、ライナー(40)とからなる積層構造を有する多層フィルムに関する。前記印刷層は、印刷可能面コーティングと空洞含有熱可塑性材料とからなる積層構造を有しており、前記印刷可能面コーティングはエンボス面を有し、該エンボス面が前記空洞含有熱可塑性材料にまで達している。【選択図】図１
2015520044.tif 000002
【特許請求の範囲】
【請求項１】
次のような積層構造を備える多層フィルムであって、
真珠光沢性コーティングを含む印刷可能面コーティング、及び、空洞含有熱可塑性材料からなる積層構造を備えた印刷層と、
２つの対向する側を有し、一方の側が前記印刷層に接着された接着剤層と、
前記接着剤層の対向する他方の側に接着されたライナーと、
からなる積層構造を備えた多層フィルム。
【請求項２】
前記真珠光沢性コーティングが前記印刷層の一部を覆う、請求項１に記載の多層フィルム。
【請求項３】
前記真珠光沢性コーティングが前記印刷層の全面を覆う、請求項１または２に記載の多層フィルム。
【請求項４】
前記空洞含有熱可塑性材料がポリエチレンを含む、請求項１に記載の多層フィルム。
【請求項５】
前記空洞含有熱可塑性材料が高密度ポリエチレンを含む、請求項１または４に記載の多層フィルム。
【請求項６】
前記空洞含有熱可塑性材料が、ポリプロピレン、ポリエチレンテレフタレート、及び、ポリアミドからなる群から選択される、請求項１に記載の多層フィルム。
【請求項７】
前記空洞含有熱可塑性材料の密度が約０．８５ｇ／ｃｍ３以下である、請求項１に記載の多層フィルム。
【請求項８】
前記空洞含有熱可塑性材料の密度が約０．９ｇ／ｃｍ３以下である、請求項１に記載の多層フィルム。
【請求項９】
前記印刷可能面コーティングが、高分子結合剤、吸収性顔料、および静電気防止剤を備える、請求項１に記載の多層フィルム。
【請求項１０】
前記吸収性顔料が、炭酸カルシウム、カオリン、および酸化チタンからなる群から選択される、請求項９に記載の多層フィルム。
【請求項１１】
前記吸収性顔料が、印刷可能面コーティングの全重量に対して約４７．５〜８０重量％をなす、請求項９に記載の多層フィルム。
【請求項１２】
前記印刷層が約６０ｇ／ｍ２〜約２８５ｇ／ｍ２の重量を有する、請求項１に記載の多層フィルム。
【請求項１３】
前記印刷層が約９０ｇ／ｍ２の重量を有する、請求項１または１２に記載の多層フィルム。
【請求項１４】
前記印刷層の厚さが約８０μｍ〜約３５０μｍである、請求項１に記載の多層フィルム。
【請求項１５】
前記印刷層の厚さが約１１０μｍである、請求項１に記載の多層フィルム。
【請求項１６】
次のような積層構造を備える多層フィルムであって、
印刷可能面コーティング及び空洞含有熱可塑性材料からなる積層構造を備えた印刷層であって、前記印刷可能面コーティングがエンボス面を有し、該エンボス面が前記空洞含有熱可塑性材料にまで達している、印刷層と、
２つの対向する側を有し、一方の側が前記印刷層に接着された接着剤層と、
前記接着剤層の対向する他方の側に接着されたライナーと、
からなる積層構造を備えた多層フィルム。
【請求項１７】
前記エンボス面が菱形を含む、請求項１６に記載の多層フィルム。
【請求項１８】
前記空洞含有熱可塑性材料がポリエチレンを含む、請求項１６に記載の多層フィルム。
【請求項１９】
前記空洞含有熱可塑性材料が高密度ポリエチレンを含む、請求項１６または１８に記載の多層フィルム。
【請求項２０】
前記空洞含有熱可塑性材料が、ポリプロピレン、ポリエチレンテレフタレート、およびポリアミドからなる群から選択される、請求項１６に記載の多層フィルム。
【請求項２１】
前記空洞含有熱可塑性材料の密度が約０．８５ｇ／ｃｍ３以下である、請求項１６に記載の多層フィルム。
【請求項２２】
前記空洞含有熱可塑性材料の密度が約０．９ｇ／ｃｍ３以下である、請求項１６に記載の多層フィルム。
【請求項２３】
前記印刷可能面コーティングが、高分子結合剤、吸収性顔料、および静電気防止剤を備える、請求項１６に記載の多層フィルム。
【請求項２４】
前記吸収性顔料が、炭酸カルシウム、カオリン、および酸化チタンからなる群から選択される、請求項２３に記載の多層フィルム。
【請求項２５】
前記吸収性顔料が、印刷可能面コーティングの全重量に対して約４７．５〜８０重量％をなす、請求項２３に記載の多層フィルム。
【請求項２６】
前記印刷層が約６０ｇ／ｍ２〜約２８５ｇ／ｍ２の重量を有する、請求項１６に記載の多層フィルム。
【請求項２７】
前記印刷層が約９０ｇ／ｍ２の重量を有する、請求項１６または２６に記載の多層フィルム。
【請求項２８】
前記印刷層の厚さが約８０μｍ〜約３５０μｍである、請求項１６に記載の多層フィルム。
【請求項２９】
前記印刷層の厚さが約１１０μｍである、請求項１６に記載の多層フィルム。
【請求項３０】
次のような積層構造を備える多層フィルムであって、
真珠光沢性コーティングを含む印刷可能面コーティング、及び、空洞含有熱可塑性材料からなる積層構造を備えた印刷層であって、前記印刷可能面コーティングがエンボス面を有し、該エンボス面が前記空洞含有熱可塑性材料にまで達している、印刷層と、
２つの対向する側を有し、一方の側が前記印刷層に接着された接着剤層と、
前記接着剤層の対向する他方の側に接着されたライナーと、
からなる積層構造を備えた多層フィルム。
【請求項３１】
前記真珠光沢性コーティングが前記印刷層の一部を覆う、請求項３０に記載の多層フィルム。
【請求項３２】
前記真珠光沢性コーティングが前記印刷層の全面を覆う、請求項３０または３１に記載の多層フィルム。
【請求項３３】
前記空洞含有熱可塑性材料がポリエチレンを含む、請求項３０に記載の多層フィルム。
【請求項３４】
前記空洞含有熱可塑性材料が高密度ポリエチレンを含む、請求項３０または３３に記載の多層フィルム。
【請求項３５】
前記空洞含有熱可塑性材料が、ポリプロピレン、ポリエチレンテレフタレート、およびポリアミドからなる群から選択される、請求項３０に記載の多層フィルム。
【請求項３６】
前記空洞含有熱可塑性材料の密度が約０．８５ｇ／ｃｍ３以下である、請求項３０に記載の多層フィルム。
【請求項３７】
前記空洞含有熱可塑性材料の密度が約０．９ｇ／ｃｍ３以下である、請求項３０に記載の多層フィルム。
【請求項３８】
前記印刷可能面コーティングが、高分子結合剤、吸収性顔料、および静電気防止剤を備える、請求項３０に記載の多層フィルム。
【請求項３９】
前記吸収性顔料が、炭酸カルシウム、カオリン、および酸化チタンからなる群から選択される、請求項３８に記載の多層フィルム。
【請求項４０】
前記吸収性顔料が、印刷可能面コーティングの全重量に対して約４７．５〜８０重量％をなす、請求項３８に記載の多層フィルム。
【請求項４１】
前記印刷層が約６０ｇ／ｍ２〜約２８５ｇ／ｍ２の重量を有する、請求項３０に記載の多層フィルム。
【請求項４２】
前記印刷層が約９０ｇ／ｍ２の重量を有する、請求項３０または４１に記載の多層フィルム。
【請求項４３】
前記印刷層の厚さが約８０μｍ〜約３５０μｍである、請求項３０に記載の多層フィルム。
【請求項４４】
多層フィルムを形成する方法であって、
印刷層を接着剤層の表面に接着する工程であって、前記印刷層は、印刷可能面コーティング及び空洞含有熱可塑性材料からなる積層構造を備える、工程と、
前記接着剤層の反対面にライナーを接着する工程と、
前記印刷可能面コーティングに真珠光沢性コーティングを施す工程と、
前記印刷層をエンボス加工する工程と、
を備えてなる、多層フィルムの形成方法。
【請求項４５】
前記真珠光沢性コーティングが前記印刷層の一部に施される、請求項４４に記載の方法。
【請求項４６】
前記真珠光沢性コーティングが前記印刷層の全面に施される、請求項４４または４５に記載の方法。
【請求項４７】
前記空洞含有熱可塑性材料がポリエチレンを含む、請求項４４に記載の方法。
【請求項４８】
前記空洞含有熱可塑性材料が高密度ポリエチレンを含む、請求項４４または４７に記載の方法。
【請求項４９】
前記空洞含有熱可塑性材料が、ポリプロピレン、ポリエチレンテレフタレート、およびポリアミドからなる群から選択される、請求項４４に記載の方法。
【請求項５０】
前記空洞含有熱可塑性材料の密度が約０．６ｇ／ｍ３以下である、請求項４４に記載の方法。
【請求項５１】
前記空洞含有熱可塑性材料の密度が約０．５ｇ／ｍ３以下である、請求項４４に記載の方法。
【請求項５２】
前記印刷可能面コーティングが、高分子結合剤、吸収性顔料、および静電気防止剤を備える、請求項４４に記載の方法。
【請求項５３】
前記吸収性顔料が、炭酸カルシウム、カオリン、および酸化チタンからなる群から選択される、請求項５２に記載の方法。
【請求項５４】
前記吸収性顔料が、印刷可能面コーティングの全重量に対して約４７．５〜８０重量％をなす、請求項５２に記載の方法。
【請求項５５】
前記印刷層が約７５ｇ／ｍ２〜約２８５ｇ／ｍ２の重量を有する、請求項４４に記載の方法。
【請求項５６】
前記印刷層が約９０ｇ／ｍ２の重量を有する、請求項４４または５５に記載の方法。
【請求項５７】
前記印刷層の厚さが約９５μｍ〜約３５０μｍである、請求項４４に記載の方法。
【請求項５８】
前記印刷層の厚さが約１１０μｍである、請求項４４または５７に記載の方法。
【請求項５９】
前記方法が、以下の順序で、以下の工程を含む、即ち、
まず前記真珠光沢性コーティングを前記印刷可能面コーティングに施し、次いで、前記印刷層をエンボス加工する工程と、
次いで、前記印刷層を前記接着剤層に接着する工程と、
次いで、前記ライナーを前記接着剤層に接着する工程と、
を含む、請求項４４に記載の方法。
【発明の詳細な説明】
【技術分野】
【０００１】
本発明は概して、包装および商業用表示に用いられる多層フィルムに関する。より詳しくは、本発明は、水などの様々な要素に触れても外見および形状を維持する多層フィルムに関する。
【背景技術】
【０００２】
多層フィルムは、印刷基板（基材）として様々な用途に利用されている。多層フィルムは例えば、広告・宣伝表示用の包装、看板、商業用グラフィックフィルムに利用することができる。
【発明の概要】
【０００３】
本発明は、その一態様において、真珠光沢性コーティングを含む印刷可能面コーティング、及び、空洞含有熱可塑性材料からなる積層構造を有する印刷層と、接着剤層と、ライナーと、からなる積層構造を有する多層フィルムに関する。
【０００４】
本発明は、別の態様において、印刷可能面コーティング、及び、空洞含有熱可塑性材料からなる積層構造を有する印刷層と、接着剤層と、ライナーとからなる積層構造を有する多層フィルムに関し、前記印刷可能面コーティングはエンボス面を有し、該エンボス面が前記空洞含有熱可塑性材料にまで達している。
【０００５】
添付の図面は本明細書に組みこまれてその一部をなし、発明の一つまたは複数の実施形態を示し、発明の説明とともに、発明の原理を解説するものである。
【図面の簡単な説明】
【０００６】
本明細書は、添付の図面を参照し、当業者を対象として、発明の最良の形態を含む、本発明を実施可能とする完全な開示内容を記載している。
【０００７】
【図１】本発明の実施形態に従う多層フィルムの拡大側面図である。
【０００８】
本明細書および図面中で繰り返し使用する参照符号は、発明の同一または類似の特徴または要素を表すものとする。
【発明を実施するための形態】
【０００９】
以下、本発明の、現状で好ましい実施形態について詳しく述べる。添付の図面には実施形態の一つまたは複数の例が示されている。各例は発明の説明のために示されるもので、発明を限定するものではない。実際、発明の範囲または精神を逸脱することなく、本発明には改変および変形を行なうことが可能であることは当業者にとっては明らかである。たとえば、一実施形態の一部として例示または説明されている特徴を別の実施形態に用いて、更なる実施形態とすることができる。従って、本発明には、このような改変や変形も、添付の特許請求の範囲およびその均等物の範囲内として含まれるものとする。
【００１０】
本発明の実施形態に係る多層フィルムを図に示す。図１は多層フィルム１０の一実施形態を示し、多層フィルム１０は印刷層２０、接着剤層３０およびライナー４０を含む。図１に示すように、多層フィルム１０は印刷層２０を接着剤層３０に、接着剤層３０をライナー４０に、順次接着することで構成されている。本願発明者（ら）が見出した通り、本発明の多層フィルムは、水などの様々な要素に晒された後でもフィルムの構造的完全性およびグラフィック表示品質を維持しつつ、真珠光沢性の図形および質感表面を含む効果的なグラフィック表示物として機能することができる。ワイン、蒸留酒、化粧品などの高級品または贅沢品市場では多くの場合、紙製のラベルが用いられるが、このラベルには、貼付対象の商品を効果的に表示するために美的要素を高めることが求められる。しかし、商品は水などの様々な要素に晒されるため、紙製ラベルの構造的完全性やグラフィック表示品質が損なわれてしまうことが多い。このように損なわれると、ラベルの広告および表示効果性が限定されかねず、こうした市場では多くの場合、非常に重要である。しかし、本発明の多層フィルムを用いることで、これらラベルの欠点を避けることができる。
【００１１】
上述のように、多層フィルム１０は印刷層２０を含む。印刷層２０は、多層フィルムが用いられるグラフィック表示の一部として機能する。このため、印刷層２０は、インク受容性を有する様々な熱可塑性材料から構成することができる。たとえば、いくつかの実施形態において、印刷層２０は、高密度ポリエチレン（ＨＤＰＥ）および／または低密度ポリエチレン（ＬＤＰＥ）などのポリエチレンから構成することができる。さらなる実施形態において、印刷層２０は、ポリプロピレン、ポリエチレンテレフタレート、ポリアミド、またはその他の熱可塑性材料から構成することができる。印刷層２０の形成に使用される材料は、ユーザの仕様により特定される。
【００１２】
本発明のいくつかの実施形態においては、さらに染料および／または顔料を印刷層２０に加えて、多層フィルム１０のグラフィック表示用途の助けとしてもよい。たとえば、これらの材料を追加で用いることで、白色または不透明、色付き半透明、色付き不透明、艶消し、光沢性の印刷層２０を提供することができる。
【００１３】
印刷層２０に用いられる熱可塑性材料は、熱可塑性材料濃度が約０．８５ｇ／ｃｍ３以下であるような、空洞含有熱可塑性材料(voided thermoplastic material)とすることができる。別の実施形態では、この空洞含有熱可塑性材料の密度が約０．９ｇ／ｃｍ３以下であってもよい。本発明の空洞含有熱可塑性材料は、多層フィルム１０を剥そうとすると多層フィルム１０の一部が貼付面に残るような、開封明示性能を多層フィルム１０に与えるための助けとすることができる。
【００１４】
インクの接着を助けるために、印刷層２０は更に追加のコーティングを有していてもよい。たとえば、いくつかの実施形態において、高分子結合剤（polymeric binder）、吸収性顔料、および静電気防止剤を含む印刷可能面コーティング(printable surface coating)を用いることができる。使用する静電気防止剤は、ポリリン酸ナトリウムなど、当分野で知られているいかなるものでもよく、印刷可能面コーティングの全重量に対して約０．４〜２．５重量％を構成することができる。
【００１５】
さらに、高分子結合剤は、アクリル重合体または共重合体、ビニルアセテート重合体または共重合体など、印刷面コーティングに用いられる既知のいかなる高分子材であってもよい。さらに、結合剤は、印刷可能面コーティングの全重量に対して約１５〜５０重量％を構成することができる。印刷可能面コーティングの吸収性顔料は、炭酸カルシウム、カオリン、酸化チタンなど、分散性の固形物であればいかなるものでもよい。使用する成分や重量比はそれぞれ、ユーザの仕様により特定される。
【００１６】
本発明に適した印刷層２０は、重量が約６０ｇ／ｍ２〜約２８５ｇ／ｍ２であるものを含む。いくつかの実施形態では、たとえば、印刷層２０は約９０ｇ／ｍ２の重量を有することができる。さらに、印刷層２０の厚さは、約８０μｍ〜約３５０μｍとすることができる。いくつかの実施形態では、たとえば、印刷層２０は約１１０μｍの厚さを有することができる。本発明で印刷層２０として用いるのに適した材料は上で述べた成分を含み、英国エセックス州Ａｒｊｏｂｅｘ社からポリアートという商品名で入手可能である。
【００１７】
上述のように、本発明の印刷層２０には、追加のコーティングまたは質感効果（組織効果,texture effect）を付与することができる。たとえば、印刷層２０を構成後に真珠光沢性コーティングを施すことで、多層フィルム１０の美的品質を高めてもなお、様々な要素に対する高い保護効果を有することを、本出願人（ら）は見出している。さらに、真珠光沢性コーティングは、コーティングに当たる光が部分的に反射し、真珠光沢性コーティング内の小板を部分的に透過することで、多層フィルムに光沢効果を与えることができる。このような光沢効果は、上述の贅沢品などを含む多層フィルムが使用される商品の適切な棚広告に有用となることがある。本発明の真珠光沢性コーティングは、ユーザの仕様次第で、印刷層２０の全体に、または、印刷層２０の個々の部分に施すことができる。例えばいくつかの実施形態において、真珠光沢性コーティングは、印刷層２０の特定のテキストまたは図形にのみ用いてもよいし、さらなる実施形態においては、真珠光沢性コーティングを、印刷層２０全体に施して、多層フィルム１０全体に光沢効果を与えてもよい。
【００１８】
本発明との関連での真珠光沢性コーティング塗布には、当分野で知られるいかなる方法を用いてもよい。たとえば、いくつかの実施形態において、真珠光沢性コーティングは、スプレーコーティングにより施してもよいし、または、ブラシコーティングにより施してもよい。塗布方法は、ユーザの仕様により特定される。
【００１９】
さらに、印刷層２０にエンボス加工を行なって、紙製ラベルに時々見られる質感効果（組織効果）を与えてもよい。ただし、上で説明した通り、本発明の印刷層２０は、水などの様々な要素に晒されても構造的完全性およびグラフィック表示を維持できることから、紙製ラベルの欠点を一部回避することができる。印刷層２０に適用可能なエンボス効果付与方法は、エンボス加工が印刷可能面コーティングから熱可塑性材料まで達するような、当分野で知られるものを含む。たとえば、本発明に関して、様々な形態の機械的および物理的エンボス加工を用いることができる。さらに、ユーザの仕様に基づき、いかなるデザインまたはエンボス効果を用いてもよい。たとえば、いくつかの実施形態において、印刷層２０は、多層フィルムが貼付される特定商品を表す符号または図形のエンボス加工を含むことができる。使用するエンボス加工は、ユーザの仕様により特定される。
【００２０】
図１に示すように、接着剤層３０は、印刷層２０とライナー４０との間に挟持されている。本発明の接着剤層３０は、約０．１ミル（０．００２５ｍｍ）〜約２ミル（０．０５ｍｍ）の厚さを有することができる。本発明の多層フィルム１０の接着剤層３０に用いるのに適した接着剤は、当分野において一般に入手可能である。これらの接着剤には一般に、感圧接着剤、熱活性接着剤、ホットメルト接着剤その他が含まれる。好適な感圧接着剤には、アクリル系接着剤のみならず、その他のエラストマー（例えば、天然ゴム、または、スチレン、ブタジエン、アクリロニトリル、イソプレン、イソブチレンの重合体もしくは共重合体を含む合成ゴムなど）がある。
【００２１】
感圧接着剤は当分野で知られており、本発明の多層フィルムの接着剤層３０に関連していかなる公知の接着剤を用いてもよい。一実施形態において、接着剤層３０は、たとえば、アクリル酸などの極性コモノマーを含む２−エチルヘキシルアクリレートなどのアクリル酸エステルの共重合体を含むことができる。
【００２２】
上述のように、ライナー４０は、多層フィルム１０の構造内で、接着剤層３０の印刷層２０と反対側に接着されている。ライナー４０は、たとえば米国特許第４７１３２７３号明細書に開示の多層ライナーを含むことができ、同文献は参照によりその全体が本明細書に組み込まれるものとする。更なる実施形態において、ライナー４０はロール状で供給されうる一枚の紙またはフィルム層を含む従来のライナーであってもよい。さらなる実施形態では、ライナー４０に（たとえばシリコーンなどの）剥離コーティングを被覆してもよく、このようなコーティングは、いくつかの実施形態において、塗布後に適切な手段により乾燥または硬化させることができる。
【００２３】
本発明のさらなる実施形態では、接着剤層３０は、感圧接着剤とは異なりインモールドラベル用途に用いられる熱活性接着剤(heat-activated adhesive)またはホットメルト接着剤であってもよい。接着剤層３０が熱活性接着剤またはホットメルト接着剤を含む場合は、感圧接着剤を用いる際に要求されるような特有の剥離性をライナー４０が有する必要はなくてもよい。
【００２４】
上述のように、多層フィルム１０は印刷層２０を接着剤層３０に、接着剤層３０をライナー４０に、順次接着することで構成されている。多層フィルム１０を構成する際には、様々な要素をユーザの必要に応じていかなる順序で施してもよい。たとえば、いくつかの実施形態においては、真珠光沢性コーティングを印刷層２０に施した後、印刷層２０をエンボス加工し、次いで接着剤層３０を印刷層２０に施した後、ライナー４０を接着剤層３０に接着することができる。使用する順番は、ユーザの仕様により特定される。
【００２５】
以上述べたように、本発明の多層フィルムは、水などの様々な要素に晒されても構造的完全性を維持することができ、図形および質感の表示性が向上するため、贅沢品市場における商品などの、様々な包装および展示品に適用することができるという利点を有する。本発明のこのような利点は、提供および／または消費前に氷水に浸けることを必要とする様々なワインまたは蒸留酒に有用に用いることができる。本出願人が見出したように、本発明の多層フィルムをこのような商品ラベルの製造に用いると、白さ、不透明度、寸法上の視覚面での特徴を維持することができる。繰り返すが、上述の通り、既存の紙製ラベルにはこのような利点はなく、浸水すると寸法やグラフィック品質の多くは損なわれてしまいがちである。
【００２６】
本発明には、当業者であれば、添付の特許請求の範囲でより詳細に記載されている発明の精神および範囲から逸脱することなく、これらの、またその他の改変および変形を実施することができる。さらに、様々な実施形態の態様を全体的または部分的に置き換えることができるのは言うまでもない。さらにまた、当業者であれば、上記の説明は事例に過ぎず、添付の特許請求の範囲でさらに詳述される発明を限定するものではないことを理解するであろう。したがって、添付の特許請求の範囲の制振及び範囲は、上記説明に含まれる態様により限定されるべきものではない。
【図１】
2015520044.tif 000003
【国際調査報告】
2015520044.tif 000004
2015520044.tif 000005
2015520044.tif 000006
2015520044.tif 000007